(57)【特許請求の範囲】
【請求項１】
種子（４０）を収納して一定量繰り出す種子繰出ユニット（２）と、種子（４０）を一定深さに埋込む種子埋込ユニット（４）とから田植機装着式直播装置（１）を構成し、前記種子繰出ユニット（２）は、種子（４０）を収納するホッパケース（５）と、該ホッパケース（５）の下方に配置され、種子（４０）を一定量繰り出す繰出ケース（６）と、該繰出ケース（６）内に配置した目皿（４１）と、該目皿（４１）を駆動する伝動駆動部（７）とから構成し、前記種子繰出ユニット（２）を、田植機の植付チェーンケース（８）に着脱可能とし、前記種子埋込ユニット（４）も植付チェーンケース（８）に着脱可能とし、前記伝動駆動部（７）へは植付チェーンケース（８）より動力を取り出して伝達すべく構成し、前記種子埋込ユニット（４）は、種子投下位置より後方に鎮圧輪（１３）を配置し、該鎮圧輪（１３）を、前記植付チェーンケース（８）から側方に延出された駆動軸（３０）に、着脱自在に構成したことを特徴とする田植機装着式直播装置。
【発明の詳細な説明】
【０００１】
【発明の属する技術分野】
本発明は、種子、あるいは被覆種子、特に、種子をゲル化剤で被覆したゲル被覆種子を代掻きをした水田の土壌中に埋め込む装置に関し、既に所有している田植機等の構成を変えることなく、部品の脱着のみで簡単に取り付け、取り外しが可能であり、しかも、播種した後の種子の浮かび上がりを完全に防止することが可能な直播装置に関する。
【０００２】
【従来の技術】
従来から苗箱に播種して苗マットを作り、該苗マットを田植機の苗載台に載せて田植えをすることは行われているが、種子は苗代で苗まで生育させる一方、土壌は耕耘して水を引き込み、代掻きを行っていたため、大変な労力と時間が必要とされていた。そこで、このような多くの作業行程を省き省力化を図った直播栽培が提案されている。直播栽培には、種子を畑状態の本田に播いて覆土し、発芽後もしばらくは湛水せずに生育させる乾田直播、種子を耕起・代掻した水田の土壌表面に播いた後、浅く湛水して生育させる湛水直播があり、それぞれ気候や土壌条件などに応じた使い分けがなされている。
【０００３】
これら乾田直播、湛水直播以外にも、現在、種子を酸素、栄養物質、薬剤などを含む弾力性高分子ゲルで被覆したゲル被覆種子を用いた湛水土壌中直播の適用が進められている。該湛水土壌中直播とは、ゲル被覆種子を耕起・代掻した水田の土壌中に埋め込んだ後、十分に湛水して生育させるものであり、通常の種子を用い湛水直播する場合とは異なり、代掻きして酸素不足となった土壌中に埋め込まれても窒息しないで発芽する。これは、前記弾力性高分子ゲル中に含まれる酸素の効果であり、この湛水土壌中直播によって種子から成長する稲は、従来の田植えをした苗から成長する稲と同じく周囲の土壌によって支持されるため、苗立ち性が前記乾田直播や湛水直播に比べて著しく向上する。
【０００４】
このような直播栽培に使用する直播装置には、直播機能のみを有する直播専用機と、田植機等の走行装置にアタッチメント式に脱着可能な装着式直播装置とがあるが、前者は新規に購入する必要からコスト高となり、使用期間も限られていることから、後者の装着式直播装置が多く採用されている。
【０００５】
【発明が解決しようとする課題】
しかしながら、従来の装着式直播装置においては次のような問題があった。すなわち、田植機の走行装置から取り外した植付部を別に格納しておく必要があり、そのスペースも大きくなっていた。また、植付部は重いために装着するための作業も面倒であった。
【０００６】
【課題を解決するための手段】
本発明の解決しようとする課題は以上の如くであり、次に課題を解決するための手段を説明する。
【０００７】
種子（４０）を収納して一定量繰り出す種子繰出ユニット（２）と、種子（４０）を一定深さに埋込む種子埋込ユニット（４）とから田植機装着式直播装置（１）を構成し、前記種子繰出ユニット（２）は、種子（４０）を収納するホッパケース（５）と、該ホッパケース（５）の下方に配置され、種子（４０）を一定量繰り出す繰出ケース（６）と、該繰出ケース（６）内に配置した目皿（４１）と、該目皿（４１）を駆動する伝動駆動部（７）とから構成し、前記種子繰出ユニット（２）を、田植機の植付チェーンケース（８）に着脱可能とし、前記種子埋込ユニット（４）も植付チェーンケース（８）に着脱可能とし、前記伝動駆動部（７）へは植付チェーンケース（８）より動力を取り出して伝達すべく構成し、前記種子埋込ユニット（４）は、種子投下位置より後方に鎮圧輪（１３）を配置し、該鎮圧輪（１３）を、前記植付チェーンケース（８）から側方に延出された駆動軸（３０）に、着脱自在に構成したものである。
【０００８】
【発明の実施の形態】
本発明の実施例を、添付の図面を基に詳述する。
【０００９】
図１は本発明の直播装置を装着した田植機の全体側面図、図２は鎮圧板式直播装置の側面図、図３は同じく背面図、図４は種子ホッパの側面図、図５は繰出ケースの平面図、図６は第二実施例の種子埋込ユニットの側面図である。
【００１０】
図７は同じく平面図、図８は第三実施例の種子埋込ユニットの側面図、図９は同じく平面図、図１０は鎮圧輪式直播装置の側面図、図１１は同じく背面図、図１２は鎮圧輪の背面一部断面図である。
【００１１】
まず、本発明に係わる田植機の全体構成について、図１により説明する。ＦＷは前輪、ＲＷは後輪であり、走行車体Ａの後部より、トップリンク２１及びロアリンク２２・２２の三点リンクよりなる昇降リンク機構が突設されている。該トップリンク２１及びロアリンク２２・２２の後端は、ヒッチ２３にて一体に連結されていて、該ヒッチ２３を介して、前記トップリンク２１後端及び左右のロアリンク２２後端に植付部Ｂの装着部が取り付けられる。該植付部Ｂは走行車体Ａの後部に内設されている油圧シリンダーＣの駆動により昇降駆動され、昇降操作は、植付深さ昇降レバー２４の操作や、フロート２５に取り付けた図示せぬ植付深さセンサーの検出に基づき、自動的に昇降制御される。
【００１２】
前記植付部Ｂには、上部に苗載台２６を傾斜して配置し、苗台レール２７上を左右摺動可能に載置されている。走行車体Ａ後部のＰＴＯ軸からはユニバーサルジョイントを介して植付ミッションケース２８の入力軸３２に動力を入力し、該植付ミッションケース２８から後方には植付チェーンケース８を突出させ、該植付チェーンケース８にエンジン２９からの動力を伝達するようにしている。また、植付ミッションケース２８の下部には植付支持軸３１を横架し、該植付支持軸３１にはステー６４を介してフロート２５が吊設されている。前記植付チェーンケース８の後部には本発明に係わる直播装置１のうちの種子繰出ユニット２を着脱容易に配設し、前記フロート２５の側方には種子埋込ユニット３（４）を着脱容易に配置している。なお、図には鎮圧板式種子埋込ユニット３を示している。
【００１３】
次に、種子繰出ユニット２について、図２乃至図５により説明する。種子繰出ユニット２は下部の傾斜した繰出ケース６と、該繰出ケース６上に係止具３３にて脱着可能に載置されたホッパケース５と、繰出ケース６の目皿４１を駆動する伝動駆動部７とから構成され、ホッパケース５上端にはカバー３４が上下開閉可能に軸着されており、該カバー３４を開いて種子４０を投入し、ホッパケース５内に貯留できるようにしている。
【００１４】
前記繰出ケース６は機体左右方向に横設されたステー３５の前面にホルダー３６で締結固定され、該ステー３５の左右略中央部は支持ステー３７上部に固設され、該支持ステー３７は左右の取付プレート３８・３８の上部によって挟装固定され、該左右の取付プレート３８・３８の下部は、前記植付チェーンケース８に開口されている図示せぬ取付穴に、ボルト３９・３９で締結固定されており、種子繰出ユニット２を植付部Ｂ後方に配設支持すると共に、既存の植付チェーンケース８にそのまま装着可能な構成としている。
【００１５】
繰出ケース６の下方には、該繰出ケース６を載設する取付フレーム４２が前記ステー３５から前方に突設され、該取付フレーム４２には入力軸４３が軸支され、該入力軸４３の一端に目皿駆動スプロケット４４が固設されており、該目皿駆動スプロケット４４と、前記取付プレート３８・３８に横架された回動軸４５上の中間スプロケット４７との間にはチェーン４８が巻回されている。さらに、該回動軸４５上には中間スプロケット４６も固設され、該中間スプロケット４６と、前記植付チェーンケース８後端近くの動力取出軸５１に軸支されたスプロケット４９との間にはチェーン５０が巻回されており、前記伝動駆動部７を構成している。このようにして、前記エンジン２９からの駆動力は、植付チェーンケース８から各スプロケットを介して、前記入力軸４３に伝達することができ、各スプロケットの歯数を変更することなどにより、入力軸４３を適正な回転速度に調整することができる。
【００１６】
前記動力取出軸５１は、植付爪を具備するロータリーケースを駆動するための植付駆動軸３０の後方に横架されており、該植付駆動軸３０に連動させて施肥装置等を駆動するために設けられたものであるが、該動力取出軸５１の植付チェーンケース８からの突出部は、通常、カバーキャップ等で保護されているだけであり、前記スプロケット４９を簡単に装着できる構成となっている。
【００１７】
さらに、繰出ケース６の中央下部には繰出軸５２を嵌挿し、該繰出軸５２上端は目皿４１をバネ座を介装して止めネジ５３で螺止し、該目皿４１の周囲の同心円位置には種子４０の径より大きな目皿穴４１ａ・４１ａ・・が開口され、前記繰出軸５２下端にはベベルギア５４を固設して、前記入力軸４３の端部に固設したベベルギア５５と噛合しており、前記エンジン２９から入力軸４３に伝達された駆動力により、目皿４１を回動可能としている。そして、繰出ケース６の前方の上がった側の下面には投下口５６が設けられ、該投下口５６には播種パイプ１９の上端が連通され、該播種パイプ１９の下端はガイドパイプ５７の上端に連通されており、目皿４１から落下してくる種子４０を、種子埋込ユニット３の前方に正確に落下できるようにガイドしている。
【００１８】
該ガイドパイプ５７の側面には支持フレーム５８の外端が固設され、該支持フレーム５８の内端は前記植付チェーンケース８の側面のネジ穴にボルト５９により締結固定されており、ガイドパイプ５７は既存の植付チェーンケース８にそのまま装着可能な構成としている。
【００１９】
また、ホッパケース５下部面と目皿穴４１ａとの間に種子４０が詰まらないように、繰出ケース６の後方の下がった側の約１８０度の空間で目皿穴４１ａをふさがない位置にスポンジ６０を配置し、該スポンジ６０の外側には係止突起６０ａが設けられ、繰出ケース６のその合致する位置には切欠６ａが設けられて嵌合できるようにし、容易に脱着できるようにしている。そして、スポンジ６０の内側には種子４０が滑りやすいように高分子ポリエチレン等よりなる合成樹脂製のシールが貼られている。
【００２０】
このような構成とすることにより、ホッパケース５下部から降下し、繰出ケース６の下がった側で目皿４１上に配列された種子４０を、一個ずつ目皿穴４１ａに入れて、目皿４１の回動に伴って投下口５６位置まで搬送してから落下させ、播種パイプ１９からガイドパイプ５７を経由して種子埋込ユニット３の前方に正確に落下させることができる。なお、本実施例においては、直播栽培に好適といわれる一粒播種のために繰出量を一個ずつとしているが、特に限定されるわけではなく、圃場状況や目標収穫量などに応じて、目皿穴４１ａの径を変更することにより、自在に調節することが可能である。
【００２１】
次に、種子埋込ユニット３（４）について、図２、図３及び図６乃至図１２により説明する。まず、図２、図３に、鎮圧板式種子埋込ユニット３の第一実施例を示す。前記フロート２５上面に支持フレーム１０の取付部１０ａを固設する一方、支持フレーム１０をフロート２５の側面から側方に延出させると共に、該支持フレーム１０の内面にはロッド１２を固設して更に側方に延出させ、該ロッド１２の側端部に、正面視で上方開放コ字状の押さえ部材１１を前後方向に揺動可能に軸支させている。該押さえ部材１１の下面には、前方を斜め上方に屈曲させた鎮圧板９をボルト６２・６３で固定しており、該鎮圧板９によって、前記種子繰出ユニット２により前方に播種された種子を土壌に押さえつけて埋込むようにしている。
【００２２】
前記支持部１０ａは、フロート２５上面と、該フロート２５を吊設する前記ステー６４下面との間に挟持された上で、ボルト６５で締結固定される構成となっており、種子埋込ユニット３を、既存のフロート２５にそのまま装着可能な構成としている。
【００２３】
そして、図６、図７に、鎮圧板式種子埋込ユニット３の第二実施例を示す。前記第一実施例と同様に、フロート２５上面に支持フレーム１０の取付部１０ａを固設し、支持フレーム１０をフロート２５の側面から側方に延出させると共に、支持フレーム１０の内面にロッド１２を固設して更に側方に延出させ、該ロッド１２の側端部には、正面視で上方開放コ字状の押さえ部材１１を前後に揺動可能に軸支させている。該押さえ部材１１の下面には、前方を斜め上方に屈曲させた鎮圧板９をボルト６２・６３で固定している。
【００２４】
この第二実施例においては、前記鎮圧板９の後部の両側部下面から平面視三角状の覆土板１６・１６を垂設し、該覆土板１６間の間隔を後方ほど狭く構成している。すなわち、田植機の走行とともに、前方からの土が鎮圧板９の下に流入すると、土が前記覆土板１６・１６により後方に集められて鎮圧板９を押し上げ、その結果、鎮圧板９で土壌下に埋め込まれた種子４０の上部を覆土することができる。また、前記支持フレーム１０の上面には、下方に向かって押さえ圧調節ネジ６８を螺挿し、該押さえ圧調節ネジ６８の下端を前記押さえ部材１１に当接しておき、押さえ圧調節ネジ６８を回動することによって、押さえ部材１１の支持フレーム１０からの深さ、すなわち、鎮圧板９の押し込み深さを調節できるようにしている。
【００２５】
更に、前記ガイドパイプ５７の下方には、平面視で後方開放コ字状のガイドフレーム１７を配設し、該ガイドフレーム１７はフロート２５の張出部２５ａ後部に固設したステー６６の後面に固定され、該ステー６６の下面には、先端が矢尻状の作溝器１８がボルト６７・６７により締結固定されている。また、前記ステー６６は、張出部２５ａの下面に、図示せぬボルトなどで簡単に締結することができ、既存のフロート２５にそのまま装着可能な構成としている。
【００２６】
従って、該作溝器１８により田植機の走行とともに所定深さの播種溝が形成され、該播種溝に前記種子繰出ユニット２からガイドされて落下してきた種子４０が入ると、そのまま鎮圧板９で土壌表面が押さえられ、さらに、前記覆土板１６・１６により覆土されるために、種子が浮き上がることなく播種することができるばかりでなく、第一実施例とは異なり、作溝器１８を交換することにより、播種深さを自在に調節できる構成となっている。
【００２７】
また、図８、図９に、鎮圧板式種子埋込ユニット３の第三実施例を示す。前記第二実施例と同様に、鎮圧板９の後部の両側部下面から平面視三角状の覆土板１６・１６を垂設し、該覆土板１６間の間隔を後方ほど狭く構成すると共に、ガイドパイプ５７の下方に、ガイドフレーム１７を配設し、該ガイドフレーム１７を固設するステー６６の下面には矢尻状の作溝器１８を配設している。
【００２８】
この第三実施例においては、前記押さえ圧調節ネジ６８の代わりに、押さえ部材１１の後部に押さえ圧調節ウェイト６９・６９・・を載置し、該押さえ圧調節ウェイト６９・６９・・はウェイト止めネジ７０で前記押さえ部材１１上に固定されており、押さえ圧調節ウェイト６９の枚数を変更することにより、鎮圧板９の押さえ圧、すなわち鎮圧板９の押し込み深さを、簡単に調節できるようにしている。
【００２９】
次に、図１０乃至図１２に、鎮圧輪式種子埋込ユニット４を示す。図１２に示すように、植付爪を具備するロータリーケースを取り外した前記植付駆動軸３０に支軸１３ａを固定し、該支軸１３ａに鎮圧輪１３を外嵌固定した構成において、通常の植付爪駆動操作により該鎮圧輪１３を回転駆動させ、前記繰出ユニット２から前方の土壌に落下してきた種子４０を押さえて、土壌下に埋め込むようにしている。なお、該鎮圧輪１３の植付駆動軸３０への取り付けについては、植付駆動軸３０に支軸１３ａの軸芯の開口部を外嵌させ、該支軸１３ａの外周面から軸芯に向かって螺挿したボルト７２を締め付け、該ボルト７２の先端を植付駆動軸３０外周面に押圧係止させることにより簡単に行うことができ、鎮圧輪１３を既存の植付チェーンケース８にそのまま装着可能な構成としている。
【００３０】
このような鎮圧輪式種子埋込ユニット４においては、鎮圧板９が土壌表面を加圧しながら摺動する前記鎮圧板式種子埋込ユニット３とは異なり、田植機の走行に合わせて回転駆動する鎮圧輪１３の外周面で鎮圧されるため、種子４０をこすり引っかける恐れもなく、確実かつ均平に種子を埋め込むことができるのである。
【００３１】
なお、前記取付プレート３８から側方に取付フレーム７３を延出させ、該取付フレーム７３の外端にはスクレーパー７１を固設し、鎮圧輪１３の外周面に付着する土塊をこすり落として、鎮圧精度を高めるようにしている。また、このような鎮圧輪式種子埋込ユニット４においても、前記鎮圧板式種子埋込ユニット３の場合と同様に、ガイドパイプ５７の下方に、ガイドフレーム１７を配設し、該ガイドフレーム１７を固設するステー６６の下面に矢尻状の作溝器１８を配設し、田植機の走行とともに所定深さの播種溝を形成しておき、該播種溝に前記種子繰出ユニット２からガイドされ落下してきた種子４０が入ると直ちに、鎮圧輪１３で土壌表面を押さえて種子４０を埋め込むようにすることもできる。
【００３２】
【発明の効果】
本発明は以上如く構成したので、次のような効果を奏するのである。
請求項１に記載の如く、種子（４０）を収納して一定量繰り出す種子繰出ユニット（２）と、種子（４０）を一定深さに埋込む種子埋込ユニット（４）とから田植機装着式直播装置（１）を構成し、前記種子繰出ユニット（２）は、種子（４０）を収納するホッパケース（５）と、該ホッパケース（５）の下方に配置され、種子（４０）を一定量繰り出す繰出ケース（６）と、該繰出ケース（６）内に配置した目皿（４１）と、該目皿（４１）を駆動する伝動駆動部（７）とから構成し、前記種子繰出ユニット（２）を、田植機の植付チェーンケース（８）に着脱可能とし、前記種子埋込ユニット（４）も植付チェーンケース（８）に着脱可能とし、前記伝動駆動部（７）へは植付チェーンケース（８）より動力を取り出して伝達すべく構成し、前記種子埋込ユニット（４）は、種子投下位置より後方に鎮圧輪（１３）を配置し、該鎮圧輪（１３）を、前記植付チェーンケース（８）から側方に延出された駆動軸（３０）に、着脱自在に構成したので、従来の装着式直播装置のように田植機の植付部を取り外す必要がなく、そのままの状態で簡単に装着できるため、装着作業が極めて容易となり、取り外した植付部の取り扱いに必要なスペースや手間も省くことができるのである。
【００３３】
また、前記種子繰出ユニットは、種子を収納するホッパケースと、該ホッパケースの下方に配置され種子を一定量繰り出す繰出ケースと、該繰出ケースの目皿を駆動する伝動駆動部とから構成し、該伝動駆動部へは植付チェーンケースより動力を取り出して伝達するようにしたので、種子繰出しのための駆動機構を別途に設ける必要がなく構造が単純となり、種子繰出ユニットの装着を容易に行うことができる。
【００３４】
また、前記種子埋込ユニットにおいて、種子投下位置より後方に鎮圧輪を配置し、該鎮圧輪を前記植付チェーンケースから側方に延出された駆動軸上に着脱自在に固設したので、より均平に種子を埋め込むことができ、種子の発芽率や成長性を一層向上させることができるのである。
【図面の簡単な説明】
【図１】  本発明の直播装置を装着した田植機の全体側面図である。
【図２】  鎮圧板式直播装置の側面図である。
【図３】  同じく背面図である。
【図４】  種子ホッパの側面図である。
【図５】  繰出ケースの平面図である。
【図６】  第二実施例の種子埋込ユニットの側面図である。
【図７】  同じく平面図である。
【図８】  第三実施例の種子埋込ユニットの側面図である。
【図９】  同じく平面図である。
【図１０】  鎮圧輪式直播装置の側面図である。
【図１１】  同じく背面図である。
【図１２】  鎮圧輪の背面一部断面図である。
【符号の説明】
１  直播装置
２  種子繰出ユニット
３・４  種子埋込ユニット
５  ホッパケース
６  繰出ケース
７  伝動駆動部
８  植付チェーンケース
９  鎮圧板
１２  支持軸
１３  鎮圧輪
２５  フロート
３０  駆動軸
４０  種子
４１  目皿
【図１】
0004130951.tif 000002
【図２】
0004130951.tif 000003
【図３】
0004130951.tif 000004
【図４】
0004130951.tif 000005
【図５】
0004130951.tif 000006
【図６】
0004130951.tif 000007
【図７】
0004130951.tif 000008
【図８】
0004130951.tif 000009
【図９】
0004130951.tif 000010
【図１０】
0004130951.tif 000011
【図１１】
0004130951.tif 000012
【図１２】
0004130951.tif 000013